(57)【要約】  ワイヤレス通信システムにおいて、資源の間の切換えを制御し、かつ／または資源変更情報を伝達する方法および装置について記載する。様々な方法および装置が、個々の通信デバイス自体が資源を割り振り、資源切換え決定を行う、非集中型ピアツーピアワイヤレスネットワークなどの非集中型ワイヤレス通信ネットワークにおける使用に好適である。第１の通信デバイスが、たとえば、干渉により、第１の識別子に対応する第１の通信資源から、第２の識別子に対応する第２の通信資源に切り換える必要があると決定してよい。第１の通信デバイスは、第１の識別子に関連づけられた第１の通信資源から、第２の識別子に関連づけられた第２の通信資源への変更を示すブロードキャスト変更信号を生成し送信する。いくつかの実施形態では、資源変更信号は、少なくとも第１および第２の通信資源の一方で送信される。
2013509011.tif 000002
【特許請求の範囲】
【請求項１】
通信デバイスを操作する方法であって、
第１の識別子に対応する第１の通信資源から、第２の識別子に対応する第２の通信資源に切り換えると決定することと、
前記第１の通信資源から前記第２の通信資源への使用の変更を示す資源変更信号をブロードキャストすることとを備える方法。
【請求項２】
前記資源変更信号をブロードキャストすることが、前記ブロードキャストされる資源変更信号を前記第１の通信資源上で送信することを含む、請求項１に記載の方法。
【請求項３】
前記資源変更信号が、前記通信デバイスによって前記第１の通信資源上で送信される最後の信号である、請求項２に記載の方法。
【請求項４】
前記資源変更信号をブロードキャストすることが、前記ブロードキャストされる資源変更信号を前記第２の通信資源上で送信することを含む、請求項１に記載の方法。
【請求項５】
前記資源変更信号が、前記通信デバイスによって前記第２の通信資源上で送信される最初の信号である、請求項４に記載の方法。
【請求項６】
前記資源変更信号をブロードキャストすることが、前記ブロードキャストされる資源変更信号を、前記第１および第２の通信資源の両方の上で送信することを含む、請求項１に記載の方法。
【請求項７】
第１の識別子に対応する第１の通信資源から、第２の識別子に対応する第２の通信資源に切り換えると決定するための手段と、
前記第１の通信資源から前記第２の通信資源への使用の変更を示す資源変更信号をブロードキャストするための手段とを備える通信デバイス。
【請求項８】
前記資源変更信号をブロードキャストするための前記手段が、前記ブロードキャストされる資源変更信号を、前記第１の通信資源上で送信するための手段を含む、請求項１に記載の通信デバイス。
【請求項９】
前記資源変更信号が、前記通信デバイスによって前記第１の通信資源上で送信される最後の信号である、請求項８に記載の通信デバイス。
【請求項１０】
前記資源変更信号をブロードキャストするための前記手段が、前記ブロードキャストされる資源変更信号を、前記第２の通信資源上で送信するための手段を含む、請求項７に記載の通信デバイス。
【請求項１１】
前記資源変更信号が、前記通信デバイスによって前記第２の通信資源上で送信される最初の信号である、請求項１０に記載の通信デバイス。
【請求項１２】
前記資源変更信号をブロードキャストするための前記手段が、前記ブロードキャストされる資源変更信号を、前記第１の通信資源上で送信するための手段と、前記ブロードキャストされる変更信号を前記第２の通信資源上で送信するための手段とを含む、請求項７に記載の通信デバイス。
【請求項１３】
通信デバイスにおいて使用するためのコンピュータプログラム製品であって、
少なくとも１つのコンピュータに、第１の識別子に対応する第１の通信資源から、第２の識別子に対応する第２の通信資源に切り換えると決定させるコードと、
前記少なくとも１つのコンピュータに、前記第１の通信資源から前記第２の通信資源への使用の変更を示す資源変更信号をブロードキャストさせるコードとを備えるコンピュータ可読媒体を備えるコンピュータプログラム製品。
【請求項１４】
前記少なくとも１つのコンピュータに、前記資源変更信号をブロードキャストさせる前記コードが、前記少なくとも１つのコンピュータに、前記ブロードキャストされる資源変更信号を前記第１の通信資源上で送信させるコードを含む、請求項１３に記載のコンピュータプログラム製品。
【請求項１５】
第１の識別子に対応する第１の通信資源から、第２の識別子に対応する第２の通信資源に切り換えると決定し、
前記第１の通信資源から前記第２の通信資源への使用の変更を示す資源変更信号をブロードキャストするように構成された少なくとも１つのプロセッサと、
前記少なくとも１つのプロセッサに結合されたメモリとを備える通信デバイス。
【請求項１６】
前記少なくとも１つのプロセッサが、前記資源変更信号をブロードキャストするように構成されることの一部として、前記ブロードキャストされる資源変更信号を、前記第１の通信資源上で送信するように構成される、請求項１５に記載の通信デバイス。
【請求項１７】
前記資源変更信号が、前記通信デバイスによって前記第１の通信資源上で送信される最後の信号である、請求項１６に記載の通信デバイス。
【請求項１８】
前記少なくとも１つのプロセッサが、前記資源変更信号をブロードキャストするように構成されることの一部として、前記ブロードキャストされる資源変更信号を前記第２の通信資源上で送信するように構成される、請求項１５に記載の通信デバイス。
【請求項１９】
前記資源変更信号が、前記通信デバイスによって前記第２の通信資源上で送信される最初の信号である、請求項１８に記載の通信デバイス。
【請求項２０】
前記少なくとも１つのプロセッサが、前記資源変更信号をブロードキャストするように構成されることの一部として、前記第１の通信資源上で送信し、前記第２の通信資源上で送信するように構成される、請求項１５に記載の通信デバイス。
【発明の詳細な説明】
【技術分野】
【０００１】
［分野］
様々な実施形態は、ワイヤレス通信(wireless communication)に関し、より詳細には、ワイヤレス通信システムにおいて、資源の間の切換えを制御し、かつ／または資源変更情報を伝達するのに使うことができる方法および装置に関する。
【背景技術】
【０００２】
［背景］
従来の多くのセルラーワイヤレス通信ネットワークにおいて、複数のワイヤレスリンクにわたる送信電力は、集中的に制御される。たとえば、基地局または中央コントローラデバイスが、通信システムにおけるネットワーク接続ポイントとして基地局を使っている複数のモバイル(mobile)に対応する通信を調整することができる。基地局および／または中央コントローラは、限られたエアリンク資源(air link resource)を求めて競合する複数のモバイルに対応する資源割振りおよび通信を管理し、たとえば、アクセスを許可し、もしくは拒否し、モバイルにエアリンク資源を割り当て、モバイル位置を追跡し、通信チャネルを測定し、送信電力レベルを制御し、データレートを制御し、干渉を管理し、かつ／または異なる資源の間でモバイルを切り換える。基地局および／または集中制御デバイスは、モバイル送信の管理および制御の一部として、閉ループ電力およびタイミング制御操作を実施することができ、概して、実際に実施する。基地局のアンテナは概して、基地局とモバイルとの間に良好なチャネル条件を与えるように位置を定められる。基地局および／または集中コントローラは、セル内の状況全体をよく見ることができ、モバイルと基地局との間の異なる複数のリンクに対応する通信を効果的に管理することができ、たとえば、モバイルがある特定の資源を使うように割り振られるべきであるとき、およびモバイルが別の資源に切り換えられるべきであるときを決定する。
【０００３】
ワイヤレス通信の分野では、従来のセルラーネットワークに加え、様々なタイプのネットワークによって使用するためにスペクトルを用意する傾向がある。人気および使用が増しているこのようなネットワークタイプの１つが、ピアツーピアネットワーク(peer to peer network)、たとえば、集中制御ではないピアツーピアネットワークである。ピアツーピアネットワークは、広範な距離にわたる信頼できる通信をサポートできることが望ましい。自力で資源使用決定を行う通信デバイスは、条件変化、たとえば、資源を求めて競合するモバイルの数の変化、モバイルの位置の変化、干渉レベルの変化、衝突(collision)の検出、受信信号をデコードする能力の変更および／または妨害信号の検出に適応できることも望ましい。非集中型ネットワークでは、ネットワーク内のピアデバイス(peer device)は、他のピアの現在の資源割振り決定を、状況に応じて意識し続けることが有利である。
【０００４】
上記考察に基づき、資源管理および／または資源変更情報の伝達を容易にし得る新規方法および装置が必要である。
【発明の概要】
【０００５】
［概要］
様々な実施形態は、ワイヤレス通信に関し、より詳細には、ワイヤレス通信システムにおいて、資源の間の切換えを制御し、かつ／または資源変更情報を伝達するのに使うことができる方法および装置に関する。様々な方法および装置が、個々の通信デバイス自体が資源を割り振り、資源切換え決定を行う、非集中型ピアツーピアワイヤレスネットワークなど、非集中型ワイヤレス通信ネットワークでの使用に好適である。
【０００６】
たとえば、第１の通信デバイス自体が、各代替資源が異なる識別子に関連づけられた、可能代替エアリンク資源セット中の、第１の識別子に関連づけられた第１のエアリンク資源を割り振ることができる。第１の通信デバイスは、第１の資源を使って信号を送信することができる。他のピアデバイスは、第１の通信デバイスからの送信信号を受信し、第１の通信デバイスが第１の通信資源を獲得済みであり、使用中であることを追跡することができる。第１の通信デバイスは、この第１の通信資源を、第１の通信デバイスが、たとえば干渉により別の通信資源に切り換える時点まで保持し、使うことができる。
【０００７】
条件は、時間とともに変わり得ることを考慮されたい。たとえば、第１の通信デバイスは、負荷の変化、他の資源における受信電力レベルの変化、第１の通信資源に対する衝突、第１の通信資源における高レベルの干渉、および／または第１の通信資源における意図的な妨害信号を検出し得る。第１の通信デバイスは、検出された条件変化に適応する必要があると決定し得る。条件変化への適応は、ときには、第１の識別子に対応する第１の通信資源から、第２の識別子に対応する第２の通信資源に切り換えるという決定を含み得る。このようないくつかの実施形態では、第１の通信デバイスは、第１の識別子に関連づけられた第１の通信資源から、第２の識別子に関連づけられた第２の通信資源への変更を示すブロードキャスト変更信号(broadcast change signal)を生成し送信する。第１のデバイスからの信号を監視する他のピアデバイスは、資源変更信号を受信し、復元し、第１の通信資源の監視から第２の通信資源の監視に切り換えることによって、第１の通信デバイスの情報ストリームを、中断せずに追跡し続けることができる。いくつかの実施形態では、資源変更信号は、第１の通信資源上で、たとえば、切換え前の最後の信号として伝達される。ピアデバイスが、サイズおよび／もしくはコストを削減することができるように、電力消費を抑えるため、ならびに／または計算量の低い設計を実装するために、限られた数のデバイスからの情報を追跡し復元することを望む場合がある。この手法により、可能代替資源セット中の限られた数の資源を選択的に監視するピアデバイスは、追跡されるデバイスの１つ、たとえば第１の通信デバイスが、第１の通信資源から第２の通信資源に切り換えるとき、所望する追跡をシームレスに維持することができるようになる。
【０００８】
例示的な一実施形態では、通信資源は、ピア発見通信資源である。ピア発見通信資源は、たとえば、ピア発見信号を伝えるのに使われる、ピアツーピア反復タイミング構造（recurring timing structure）での時間周波数エアリンク送信単位をグループ化したものであり、異なる単位グループ化は、異なる識別子に対応する。いくつかの実施形態では、ピア発見信号の特性、たとえば、擬似ランダムに配置された意図的なＮＵＬＬ (intentional NULL)を含むことにより、資源が再利用されてよく、ときには実際に再利用される非集中型システムにおける電力測定および干渉測定が容易になる。様々な実施形態において、電力測定および／または干渉情報は、資源切換え決定を行い、かつ／または資源切換え閾値を設定する際に用いられる。
【０００９】
いくつかの実施形態による、通信デバイスを操作する例示的な方法は、第１の識別子に対応する第１の通信資源から、第２の識別子に対応する第２の通信資源に切り換えると決定すること、および第１の通信資源から第２の通信資源への使用の変更を示す資源変更信号をブロードキャストすることを備える。いくつかの実施形態による例示的な通信デバイスは、第１の識別子に対応する第１の通信資源から、第２の識別子に対応する第２の通信資源に切り換えると決定し、第１の通信資源から第２の通信資源への使用の変更を示す資源変更信号をブロードキャストするように構成された少なくとも１つのプロセッサを備える。例示的な通信デバイスは、前記少なくとも１つのプロセッサに結合されたメモリをさらに備える。
【００１０】
様々な実施形態を上記要約で論じたが、必ずしもすべての実施形態が同じ特徴を含むわけではなく、上述した特徴の一部は、いくつかの実施形態では必要ではなく、望ましいものであることを理解されたい。様々な実施形態の多数の追加特徴、実施形態および利益を、以下に続く詳細な説明で論じる。
【図面の簡単な説明】
【００１１】
【図１】例示的な実施形態による例示的なワイヤレス通信システムを示す図。
【図２】図２Ａと図２Ｂの組合せを示す図。
【図２Ａ】例示的な実施形態による、通信デバイスを操作する例示的な方法のフローチャートの第１部を示す図。
【図２Ｂ】例示的な実施形態による、通信デバイスを操作する例示的な方法のフローチャートの第２部を示す図。
【図３】例示的な実施形態による例示的な通信デバイスを示す図。
【図４】図３に示す通信デバイス内で使うことができ、いくつかの実施形態では実際に使われるモジュールアセンブリを示す図。
【図５】いくつかの実施形態において使われる例示的な反復ピアツーピアタイミング構造(recurring peer to peer timing structure)を示す図。
【図６】異なるピア発見資源識別子(peer discovery resource identifier)に関連づけられたブロック中に９つの個々のピア発見資源がある、例示的な発見資源ブロックを示す図。
【図７】ワイヤレス端末が、ピア発見エアリンク資源に関連づけられたピア発見資源識別子を獲得することを求める、ピアツーピアタイミング構造を実装し、ピアツーピアシグナリングをサポートする複数のワイヤレス通信デバイスを含む例示的なピアツーピアワイヤレス通信システムを示す図。
【図８】ワイヤレス端末がピア発見資源識別子を獲得済みであり、識別子に対応するピア発見エアリンク資源を使って、ピア発見信号を送信している、図７のシステムを示す図。
【図９】例示的なシステム内で図８の状況から条件が変わったこと、およびワイヤレス端末が新しい識別子に切り換えないと決定したことを示す図。
【図１０】例示的なシステム内で図９の状況から条件が変わったこと、および異なるピア発見エアリンク資源に関連づけられた新しい識別子にワイヤレス端末が切り換えると決定したことを示す図。
【図１１】異なるピア発見資源に関連づけられた新しい識別子に切り換えると決定したワイヤレス端末が、古い識別子に関連づけられた資源上で伝達される最後の信号として、資源変更信号を伝達することを示す図。
【図１２】異なるピア発見資源に関連づけられた新しい識別子に切り換えると決定したワイヤレス端末が、新しい識別子に関連づけられた資源上で伝達される最初の信号として、資源変更信号を伝達することを示す図。
【図１３】識別子を切り換えたワイヤレス端末が、その後で、そのピア発見信号を、新しい識別子に関連づけられたエアリンク資源上で送信することを示す図。
【図１４】２つのデバイスから同じピア発見資源上で送信され、干渉の測定における本手法の様々な利点を記述するのに使われる例示的なピア発見信号を示す図。
【図１５】２つのデバイスから同じピア発見資源上で送信され、異なる送信信号に対応する受信電力の測定における本手法の様々な利点を記述するのに使われる例示的なピア発見信号を示す図。
【図１６】いくつかの実施形態による、受信電力測定値に基づいて判定され、格納され、資源選択および／または資源切換え判定に使われる例示的な資源情報を示す図。
【発明を実施するための形態】
【００１２】
［詳細な説明］
図１は、例示的な実施形態による例示的なワイヤレス通信システム１００の図である。例示的なワイヤレス通信システム１００は、複数のワイヤレス通信デバイス（ワイヤレス通信デバイス１  １０２、ワイヤレス通信デバイス２  １０４、ワイヤレス通信デバイス３  １０６、ワイヤレス通信デバイス４  １０８、ワイヤレス通信デバイス５  １１０、ワイヤレス通信デバイス６  １１２、ワイヤレス通信デバイス７  １１４、ワイヤレス通信デバイス８  １１６、ワイヤレス通信デバイス９  １１８、．．．、ワイヤレス通信デバイスＮ１２０を含む。システム１００のワイヤレス通信デバイスの一部、たとえば、デバイス５  １１０およびデバイス６  １１２は、迂回中継ネットワーク１２２を介して、他のネットワークノードおよび／またはインターネットに結合される。システム１００のワイヤレス通信デバイスの一部、たとえば、デバイス（１０２、１０４、１０６、１０８、１１４、１１６、１１８、１２０）は、モバイルデバイスである。
【００１３】
ワイヤレス通信デバイス（１０２、１０４、１０６、１０８、１１０、１１２、１１４、１１６、１１８、１２０）は、ピアツーピア通信をサポートし、ピアツーピアタイミング構造を実装する。ピアツーピア通信システムは、資源割振りのために非集中型手法(decentralized approach)を実行する。例示的なエアリンク資源とは、たとえば、資源識別子に関連づけられた時間周波数送信単位のセットである。１つのエアリンク資源のタイプが、いくつかの実施形態では、ピア発見エアリンク資源である。個々のワイヤレス通信デバイスが、個々のデバイスの見地に基づいて、資源を使うことができるかどうかに関して決定を行う。個々のワイヤレス通信デバイスは、個々のデバイスの見地に基づいて、デバイスが現在使っている資源を使い続けてよいかどうか、または別の資源に切り換えるべきかどうかに関しての決定も行う。ワイヤレス通信デバイスは、異なる資源に切り換えるという決定、たとえば、第１の識別子に対応する第１の通信資源から、第２の識別子に対応する第２の通信資源に切り換えるという決定に応答して資源変更信号を生成し、ブロードキャストする。
【００１４】
ピア発見エアリンク資源上で伝えられるピア発見信号は、ワイヤレス通信デバイスに関連づけられた秘密および／または公開識別子を伝える信号を含み得る。ピア発見操作により、ワイヤレス通信デバイスは、対象となる他のワイヤレス通信デバイスを見つけることができる。たとえば、ワイヤレス通信デバイスは、友人、親戚、仕事関係者、グループメンバ、共通の利益、事業、サービスなどに対応する秘密および／または公開識別子を探索することができる。ワイヤレス通信デバイスは、発見信号を監視し、検出された発見信号をデコードし、復元された識別子を、該当する識別子と突き合わせて調べることができる。一致に基づいて、ワイヤレス通信デバイスは、ピアツーピア接続を確立し、かつ／またはピアツーピアトラフィックチャネル信号を伝達することができる。いくつかの実施形態では、第１の識別子に関連づけられた第１のピア発見エアリンク資源から、第２の識別子に関連づけられた第２のピア発見エアリンク資源に切り換えるという決定を伝達する資源変更信号も、ピア発見エアリンク資源上で伝えられる。
【００１５】
図２は、図２Ａと図２Ｂの組合せを備え、例示的な実施形態による、通信デバイスを操作する例示的な方法のフローチャート２００である。操作はステップ２０２で開始し、ここで、通信デバイスは電源オンされ、初期化され、ステップ２０４に進む。ステップ２０４で、通信デバイスは、各セットメンバが異なる識別子に対応する通信資源セットを監視する。操作は、ステップ２０４からステップ２０６に進む。
【００１６】
ステップ２０６で、通信デバイスは、識別子に関連づけられた各資源に関連した受信電力レベル情報を判定する。次いで、ステップ２０８で、通信デバイスは、判定された受信電力レベル情報に基づいて資源を順序づける。操作は、ステップ２０８からステップ２１０に進む。
【００１７】
ステップ２１０で、通信デバイスは、判定された受信電力レベルに基づいて、たとえば、順序づけに応じて、監視される通信資源セットにある、第１の識別子に対応する第１の通信資源を使うことを選択する。操作は、ステップ２１０からステップ２１２、２１４、２１８に進む。
【００１８】
ステップ２１２で、通信デバイスは、信号、たとえばピア発見信号を、前記第１の通信資源の第１の部分の上でブロードキャストする。操作は、ステップ２１２からステップ２２４に進む。
【００１９】
ステップ２１４に戻ると、ステップ２１４で、通信デバイスは、信号、たとえばピア発見信号部分および／または意図的な干渉信号を、前記第１の通信資源の第２の部分の上で受信するのを監視する。操作は、ステップ２１４からステップ２１６に進む。ステップ２１６で、通信デバイスは、第１の通信資源に関連した干渉電力レベル(interference power level)を判定する。操作は、ステップ２１６からステップ２２４に進む。
【００２０】
ステップ２１８に戻ると、ステップ２１８で、通信デバイスは、第１の通信資源を除く通信資源セットを監視する。操作は、ステップ２１８からステップ２２０に進む。ステップ２２０で、通信デバイスは、各資源に関連した受信電力レベル情報を判定する。いくつかの実施形態では、ステップ２２０で、資源に対応して、通信デバイスは、総受信電力レベルと、最強受信信号電力レベルとを判定する。次いで、ステップ２２２で、通信デバイスは、判定された受信電力レベル情報に基づいて、資源を順序づける。操作は、ステップ２２２からステップ２２４に進む。
【００２１】
ステップ２２４で、通信デバイスは、１つまたは複数の資源に関連した判定受取り電力レベル情報に応じて、切換え閾値を判定する。いくつかの実施形態では、ステップ２２４で、通信デバイスは、ステップ２１４の判定干渉電力レベルと、ステップ２２０の判定受取り電力レベル情報の両方に応じて切換え閾値を判定する。操作は、ステップ２２４から、接続ノードＡ２２６を経由してステップ２２８に進む。
【００２２】
ステップ２２８で、通信デバイスは、前記第２の通信資源の前記第２の部分の上で受信された前記受信信号および判定された切換え閾値に基づいて、第１の識別子に対応する第１の通信資源から、第２の識別子に対応する第２の通信資源に切り換えるかどうか決定する。
【００２３】
ステップ２２８は、ステップ２３０、２３２を含み、どちらかが、ステップ２２８を繰り返す度に実施される。ステップ２３０で、通信は、第１の識別子に対応する第１の通信資源から切り換えないと決定する。操作は、ステップ２３０から、接続ノードＢ２３４を経由して、ステップ２１２、２１４、２１６に進む。
【００２４】
ステップ２３２に戻ると、ステップ２３２で、通信デバイスは、第１の識別子に対応する第１の通信資源から、第２の識別子に対応する第２の通信資源に切り換えると決定する。操作は、ステップ２３２からステップ２３６に進む。ステップ２３６で、通信デバイスは、判定された受信電力レベル情報に基づいて、たとえば、資源順序づけ情報に応じて、資源セットから、第２の識別子に関連づけられた第２の通信資源を選択する。操作は、ステップ２３６からステップ２３８に進む。
【００２５】
ステップ２２８で、通信デバイスは、第１の通信資源から第２の通信資源への使用の変更を示す資源変更信号をブロードキャストする。ステップ２３８は、ステップ２４０、２４２の１つまたは複数を含む。ステップ２４０で、通信デバイスは、ブロードキャスト変更信号を、第１の通信資源上で送信する。いくつかの実施形態では、この資源変更信号は、通信デバイスによって前記第１の通信資源上で送信される最後の信号である。ステップ２４２で、通信デバイスは、ブロードキャスト変更信号を、第２の通信資源上で送信する。いくつかの実施形態では、この資源変更信号は、通信デバイスによって第２の通信資源上で送信される最初の信号である。
【００２６】
いくつかの実施形態では、資源変更信号をブロードキャストすることは、第１および第２の通信資源の一方のみの上でブロードキャスト変更信号を送信することを含む。他のいくつかの実施形態では、資源変更信号をブロードキャストすることは、ブロードキャスト変更信号を第１の通信資源と第２の通信資源の両方の上で送信することを含む。
【００２７】
操作は、ステップ２２８からステップ２４４に進む。ステップ２４４で、通信デバイスは、信号、たとえばピア発見信号を、第２の通信資源の一部分の上でブロードキャストする。
【００２８】
図３は、例示的な実施形態による例示的な通信デバイス３００の図である。例示的な通信デバイス３００は、たとえば、図１のワイヤレス通信デバイスの１つである。例示的な通信デバイス３００は、図２のフローチャート２００による方法を実装することができ、ときには実際に実装する。
【００２９】
通信デバイス３００は、様々な要素（３０２、３０４）がデータと情報とを交換する際に経由するバス３０９を介して結合されたプロセッサ３０２とメモリ３０４とを含む。通信デバイス３００は、図示するようにプロセッサ３０２に結合され得る入力モジュール３０６と、出力モジュール３０８とをさらに含む。ただし、いくつかの実施形態では、入力モジュール３０６および出力モジュール３０８は、プロセッサ３０２の内部に置かれる。入力モジュール３０６は、入力信号を受信し得る。入力モジュール３０６は、入力を受信するワイヤレス受信機および／またはワイヤードもしくは光学入力インターフェースを含んでよく、いくつかの実施形態では実際に含む。出力モジュール３０８は、出力を送信するワイヤレス送信機および／またはワイヤードもしくは光学出力インターフェースを含んでよく、いくつかの実施形態では実際に含む。
【００３０】
プロセッサ３０２は、第１の識別子に対応する第１の通信資源から、第２の識別子に対応する第２の通信資源に切り換えると決定し、第１の通信資源から第２の通信資源への使用の変更を示す資源変更信号をブロードキャストするように構成される。様々な実施形態において、プロセッサ３０２は、資源変更信号をブロードキャストするように構成されることの一部として、ブロードキャスト資源変更信号を第１の通信資源上で送信するように構成される。このようないくつかの実施形態では、前記資源変更信号は、前記通信デバイスによって前記第１の通信資源上で送信される最後の信号である。いくつかの実施形態では、プロセッサ３０２は、資源変更信号をブロードキャストするように構成されることの一部として、ブロードキャスト資源変更信号を第２の通信資源上で送信するように構成される。このようないくつかの実施形態では、前記資源変更信号は、前記通信デバイスによって前記第２の通信資源上で送信される最初の信号である。様々な実施形態において、プロセッサ３０２は、資源変更信号をブロードキャストするように構成されることの一部として、第１の通信資源上で送信し、第２の通信資源上で送信するように構成される。
【００３１】
図４は、図３に示す通信デバイス３００内で使うことができ、いくつかの実施形態では実際に使われるモジュールアセンブリ４００である。アセンブリ４００内のモジュールは、図３のプロセッサ３０２内にハードウェアで、たとえば、個々の回路として実装すればよい。あるいは、モジュールは、ソフトウェアで実装し、図３に示す通信デバイス３００のメモリ３０４に格納してもよい。図３には、単一プロセッサ、たとえばコンピュータとしての実施形態を示すが、プロセッサ３０２は、１つまたは複数のプロセッサ、たとえばコンピュータとして実装してもよいことを理解されたい。ソフトウェアで実装される場合、モジュールは、プロセッサによって実行されると、モジュールに対応する機能を実現するようにプロセッサ、たとえばコンピュータ、３０２を構成するコードを含む。いくつかの実施形態では、プロセッサ３０２は、モジュールアセンブリ４００のモジュールそれぞれを実装するように構成される。モジュールアセンブリ４００がメモリ３０４に格納される実施形態では、メモリ３０４は、コードを備えるコンピュータ可読媒体を備えるコンピュータプログラム製品であり、たとえば、各モジュール用の個々のコードは、少なくとも１つのコンピュータ、たとえばプロセッサ３０２に、モジュールが対応する機能を実現させる。
【００３２】
完全にハードウェアベースのモジュールも、完全にソフトウェアベースのモジュールも使うことができる。ただし、ソフトウェアとハードウェア（たとえば、実装される回路）モジュールのどの組合せを使っても、機能が実現され得ることを理解されたい。図４に示すモジュールは、図２の方法フローチャート２００に示す対応するステップの機能を実施するように、通信デバイス３００またはその中の要素、たとえばプロセッサ３０２を制御し、かつ／または構成することを理解されたい。
【００３３】
モジュールアセンブリ４００は、各セットメンバが異なる識別子に対応する通信資源セットを監視するモジュール４０４と、識別子に関連づけられた各資源に関連した受信電力レベル情報を判定するモジュール４０６と、判定された受信電力レベル情報に基づいて資源を順序づけるモジュール４０８と、判定された受信電力レベルに基づいて、たとえば、順序づけに応じて、監視される通信資源セットにある、第１の識別子に対応する第１の通信資源を使うことを選択するモジュール４１０とを含む。モジュールアセンブリ４００は、信号、たとえばピア発見信号を、前記第１の通信資源の第１の部分の上でブロードキャストするモジュール４１２と、信号、たとえばピア発見信号部分および／または干渉信号を、前記第１の通信資源の第２の部分の上で受信するのを監視するモジュール４１４と、第１の通信資源に関連した干渉電力レベルを判定するモジュール４１６と、第１の通信資源を除く通信資源セットを監視するモジュール４１８と、各資源に関連した受信電力レベル情報を判定するモジュール４２０と、判定された受取り電力レベル情報に基づいて資源を順序づけるモジュール４２２とをさらに含む。
【００３４】
モジュールアセンブリ４００は、１つまたは複数の資源に関連した判定受取り電力レベル情報に応じて切換え閾値を判定するモジュール４２４と、前記第２の通信資源の前記第２の部分の上で受信された前記受信信号および判定された切換え閾値に基づいて、第１の識別子に対応する第１の通信資源から、第２の識別子に対応する第２の通信資源に切り換えるかどうか決定するモジュール４２８とをさらに含む。モジュール４２８は、第１の識別子に対応する第１の通信資源から切り換えないと決定するモジュール４３０と、第１の識別子に対応する第１の通信資源から、第２の識別子に対応する第２の通信資源に切り換えると決定するモジュール４３２とを含む。いくつかの実施形態では、モジュール４２４は、モジュール４１６からの判定干渉電力レベルと、モジュール４２０からの判定受信電力レベル情報の両方に応じて切換え閾値を判定する。
【００３５】
モジュールアセンブリ４００は、判定された受信電力レベルに基づいて、たとえば、資源順序づけ情報に応じて、資源セットから、第２の識別子に関連づけられた第２の通信資源を選択するモジュール４３６と、第１の通信資源の使用から、第２の通信資源の使用への変更を示す資源変更信号をブロードキャストするモジュール４３８と、信号、たとえばピア発見信号を、第２の通信資源の一部分の上でブロードキャストするモジュール４４４とをさらに含む。モジュール４３８は、ブロードキャスト変更信号を第１の通信資源上で送信するモジュール４４０と、ブロードキャスト変更信号を第２の通信資源上で送信するモジュール４４２の１つまたは複数を含む。
【００３６】
図５は、いくつかの実施形態において使われる例示的な反復ピアツーピアタイミング構造を示す図である。プロット５００は、周波数、たとえば直交周波数分割多重（ＯＦＤＭ）トーンを表す垂直軸５０２と、時間、たとえばＯＦＤＭシンボル送信時間間隔を表す水平軸５０４とを含む。図５の例において、タイミング構造のエアリンク資源は、発見資源ブロック（発見資源ブロック１  ５０６、発見資源ブロック２  ５０８、発見資源ブロック３  ５１０、．．．、発見資源ブロックＮ５１２）を含む。
【００３７】
各発見資源ブロック（５０６、５０８、５１０、．．．、５１２）は、異なるピア発見識別子に関連づけられた個々のピア発見資源、たとえばセグメントを含む。この例では、Ｍ個のピア発見資源識別子があり、各識別子は、ブロック中の個々のピア発見資源、たとえばセグメントに関連づけられ、Ｍは正の整数である。いくつかの実施形態では、Ｍは、９９より大きい所定の値である。発見資源ブロック１  ５０６は、ピア発見ＩＤ１資源５１４、ピア発見ＩＤ２資源５１６、．．．．、ピア発見ＩＤ  Ｍ資源５１８を含む。同様に、発見資源ブロック２  ５０８は、ピア発見ＩＤ１資源５２０、ピア発見ＩＤ２資源５２２、．．．．、ピア発見ＩＤ  Ｍ資源５２４を含む。
【００３８】
この例では、ピア発見ブロックの個々の各ピア発見資源、たとえばピア発見ＩＤ  Ｍ資源５１８は、連続資源セットである。いくつかの実施形態では、個々のピア発見資源は、非連続部分、たとえば、第１のトーンに関連づけられた第１の部分と、第２のトーンに関連づけられた第２の部分とを含んでよく、ときには実際に含み、ここで第１および第２のトーンは隣接トーンではない。この例では、ある特定のピア発見ＩＤと結びつくピア発見資源は、ピア発見資源ブロックそれぞれの中で、同じ相対的位置に置かれる。たとえば、ピア発見資源ブロック５０６のピア発見ＩＤ１資源５１４は、一番上の隅、たとえば、高周波数である第１のタイムスロット中にあり、発見資源ブロック２  ５０８のピア発見ＩＤ１資源５２０も、一番上の隅にある。いくつかの実施形態では、ある特定のピア発見識別子に関連づけられた個々の資源の相対的な位置は、たとえば、ピアツーピアワイヤレス通信デバイスにとって既知のホッピングパターンに従って、ある発見資源ブロックから別のブロックに変わってよく、ときには実際に変わる。ある特定のピア発見資源識別子に関連づけられた資源の、ある発見資源ブロックから別のブロックへの相対的位置の変化は、たとえば、特に２つのデバイスが同じピア発見資源上で同時に送信中である可能性がある状況において、受信電力情報および／または干渉情報を判定する際に有利であり得る。
【００３９】
発見資源ブロック中の識別子に関連づけられた個々の各ピア発見資源に対応して、基本送信単位のセットがある。この例では、各セグメントは、８つのＯＦＤＭトーンシンボルを含み、トーンシンボルとは、１つのシンボル送信期間の持続期間に対する１つのトーンからなる送信単位である。たとえば、発見資源ブロック５０６のピア発見ＩＤ  Ｍ資源５１８は、ＯＦＤＭトーンシンボル０  ５２６と、ＯＦＤＭトーンシンボル１  ５２８と、ＯＦＤＭトーンシンボル２  ５３０と、ＯＦＤＭトーンシンボル３  ５３２と、ＯＦＤＭトーンシンボル４  ５３４と、ＯＦＤＭトーンシンボル５  ５３６と、ＯＦＤＭトーンシンボル６  ５３８と、ＯＦＤＭトーンシンボル７  ５４０とを含む。このようないくつかの実施形態では、セグメントのトーンシンボルの１つが、意図的なヌル(null)を搬送する。別の例では、ピア発見資源ブロック中の識別子に関連づけられたピア発見資源は、より多数の基本送信単位、たとえば、４０個のＯＦＤＭトーンシンボルを含む。いくつかの実施形態では、セグメント中の意図ヌルの数は、１より大きくてよく、たとえば、４０個のＯＦＤＭトーンシンボルからなるセグメントに対して、５つの意図的なヌルがある。さらに、いくつかの実施形態では、セグメントレベルではなく資源ブロックレベルでヌル化を行うことができる。たとえば、ピア発見シンボルが、発見資源ブロック中で時折ランダムにヌルアウトされる（送信されない）。いくつかの実施形態では、ヌル化は、シンボルレベルではなく資源ＩＤブロックレベルで行うことができる。たとえば、シンボルセットを備えるピア発見信号が、発見資源ブロック中で時折ランダムにヌルアウトされる（送信されない）。
【００４０】
図６は、例示的な発見資源ブロック６００の図であり、異なるピア発見資源識別子に関連づけられたブロック６００中に９つの個々のピア発見資源セグメントがある。図６は、説明目的で、９つの個々のピア発見資源とともに提示されている。ただし、多くの実装形態では、発見資源ブロックは、異なる識別子に関連づけられたより多数の個々の資源、たとえば、１００以上の個々のピア発見資源を含む。例示的な発見資源ブロック６００は、ピア発見ＩＤ１資源６４８と、ピア発見ＩＤ２資源６５０と、ピア発見ＩＤ３資源６５２と、ピア発見ＩＤ４資源６５４と、ピア発見ＩＤ５資源６５６と、ピア発見ＩＤ６資源６５８と、ピア発見ＩＤ７資源６６０と、ピア発見ＩＤ８資源６６２と、ピア発見ＩＤ９資源６６４とを含む。
【００４１】
図７〜１３は、いくつかの実施形態による様々な特徴および態様を示すのに使われる例示的なワイヤレスピアツーピア通信システムのシーケンスを示す。たとえば、ＷＴ  Ａ７０２は、図２のフローチャート２００による方法を実装し、かつ／または図３のデバイス３００および／もしくは図４のモジュールアセンブリ４００に従って実装され得る。
【００４２】
図７は、ピアツーピアタイミング構造を実装し、ピアツーピアシグナリングをサポートする複数のワイヤレス通信デバイス（ＷＴ  Ａ７０２、ＷＴ  Ｂ７０４、ＷＴ  Ｃ７０６、ＷＴ  Ｄ７０８、ＷＴ  Ｅ７１０、ＷＴ  Ｆ７１２、ＷＴ  Ｇ７１４、ＷＴ  Ｈ７１６、ＷＴ  Ｉ７１８、ＷＴ  Ｊ７２０、ＷＴ  Ｋ７２２、ＷＴ  Ｌ７２４）を含む例示的なピアツーピアワイヤレス通信システムを示す図面７００である。タイミング構造は、図６の例示的な発見資源ブロック６００の形式による発見資源ブロックを含み得る。
【００４３】
図７の例において、ピアツーピアタイミング構造でのピア発見資源に関連づけられた資源識別子をＷＴ  Ａ７０２が獲得していないことを考慮されたい。ワイヤレス端末（ＷＴ  Ｂ７０４、ＷＴ  Ｃ７０６、ＷＴ  Ｄ７０８、ＷＴ  Ｅ７１０、ＷＴ  Ｆ７１２、ＷＴ  Ｇ７１４、ＷＴ  Ｈ７１６、ＷＴ  Ｉ７１８、ＷＴ  Ｊ７２０、ＷＴ  Ｋ７２２、ＷＴ  Ｌ７２４）は、ピア発見資源に関連づけられた資源識別子を獲得済みであり、現在使っていることをさらに考慮されたい。ワイヤレス端末（ＷＴ  Ｂ７０４、ＷＴ  Ｃ７０６、ＷＴ  Ｄ７０８、ＷＴ  Ｅ７１０、ＷＴ  Ｆ７１２、ＷＴ  Ｇ７１４、ＷＴ  Ｈ７１６、ＷＴ  Ｉ７１８、ＷＴ  Ｊ７２０、ＷＴ  Ｋ７２２、ＷＴ  Ｌ７２４）は、それぞれ、エアリンク資源（ピア発見ＩＤ１資源７４８、ピア発見ＩＤ４資源７５４、ピア発見ＩＤ２資源７５０、ピア発見ＩＤ５資源７５６、ピア発見ＩＤ６資源７５８、ピア発見ＩＤ７資源７６０、ピア発見ＩＤ９資源７６４、ピア発見ＩＤ３資源７５２、ピア発見ＩＤ１資源７４８、ピア発見ＩＤ８資源７６２、ピア発見ＩＤ５資源７５６）を使って、ピア発見信号（ＰＤB信号７２６、ＰＤC信号７２８、ＰＤD信号７３０、ＰＤE信号７３２、ＰＤF信号７３４、ＰＤG信号７３６、ＰＤH信号７３８、ＰＤI信号７４０、ＰＤJ信号７４２、ＰＤK信号７４４、ＰＤL信号７４６）を送信する。ワイヤレス端末Ａ７０２は、異なる識別子（７４８、７５０、７５２、７５４、７５６、７５８、７６０、７６２、７６４）に対応する通信資源セットを監視し、識別子に関連づけられた各資源に関連した受信電力情報を判定する。たとえば、ワイヤレス端末Ａ７０２は、総受信電力レベルと、各識別子に対応する最強受信信号電力レベルとを判定する。いくつかの資源上では、複数のワイヤレス端末が、ピア発見信号を同じピア発見エアリンク資源上で送信中である。送信されるピア発見信号の特性、たとえば、擬似ランダムに配置されたヌルを含むのは、受信機が、たとえば、各送信信号に対応する受信電力を別々に測定し、より強い受信信号を識別することを可能にしやすくするためである。たとえば、ピア発見ＩＤ１資源７４８は、ＷＴ  Ｂ７０４からピア発見信号ＰＤB７２６を、また、ＷＴ  Ｊ７２０からＰＤJ信号７４２を搬送し、偶然にもＷＴ  Ａ７０２により近いＷＴ  Ｂ７０４から、より強い受信信号が発する。
【００４４】
ＷＴ  Ａ７０２は、判定された受信電力レベル情報に基づいて、ピア発見エア資源を順序づける。いくつかの実施形態では、ＷＴ  Ａ７０２は、総電力レベル情報に対応する、識別子の第１の電力レベル順序づけと、最強受信信号電力レベル情報に対応する、識別子の第２の電力レベル順序づけとを判定する。
【００４５】
ＷＴ  Ａ７０２は、判定された受信電力レベル情報に基づいて、たとえば、順序づけ情報に応じて、ピア発見通信資源に関連づけられた識別子を選択する。この例では、ピア発見資源ＩＤ３  ７５２上で受信された信号、たとえば、受信されたＰＤI信号７４０が、最も低い総受信電力および最も低い最強信号受信電力レベルをもつと判定されることを考慮されたい。デバイスＡ７０２は、ＩＤ３を獲得し、ＩＤ３に関連づけられたピア発見エアリンク資源を使うことを選択する。いくつかの実施形態では、ＷＴ  Ａ７０２は、閾値基準を下回る判定受信電力レベル情報に対応する代替物セットの中から選択し、たとえば、ランダムに選択する。したがって、このような実施形態において、ＷＴ  Ａ７０２は、最も低い受信電力レベルに対応するＩＤを必ずしも選択しなくてもよい。
【００４６】
図８において、ＷＴ  Ａ７０２は、獲得した識別子、すなわちＩＤ３に関連づけられたピア発見エアリンク資源を使って、そのピア発見信号ＰＤA８２５をブロードキャストする。ワイヤレス端末（ＷＴ  Ａ７０２、ＷＴ  Ｂ７０４、ＷＴ  Ｃ７０６、ＷＴ  Ｄ７０８、ＷＴ  Ｅ７１０、ＷＴ  Ｆ７１２、ＷＴ  Ｇ７１４、ＷＴ  Ｈ７１６、ＷＴ  Ｉ７１８、ＷＴ  Ｊ７２０、ＷＴ  Ｋ７２２、ＷＴ  Ｌ７２４）は、それぞれ、エアリンク資源（ピア発見ＩＤ３資源８５２、ピア発見ＩＤ１資源８４８、ピア発見ＩＤ４資源８５４、ピア発見ＩＤ２資源８５０、ピア発見ＩＤ５資源８５６、ピア発見ＩＤ６資源８５８、ピア発見ＩＤ７資源８６０、ピア発見ＩＤ９資源８６４、ピア発見ＩＤ３資源８５２、ピア発見ＩＤ１資源８４８、ピア発見ＩＤ８資源８６２、ピア発見ＩＤ５資源８５６）を使って、ピア発見信号（ＰＤA信号８２５、ＰＤB信号８２６、ＰＤC信号８２８、ＰＤD信号８３０、ＰＤE信号８３２、ＰＤF信号８３４、ＰＤG信号８３６、ＰＤH信号８３８、ＰＤI信号８４０、ＰＤJ信号８４２、ＰＤK信号８４４、ＰＤL信号８４６）を送信する。
【００４７】
ヌルでないピア発見信号部分を送信中でないとき、ＷＴ  Ａ７０２は、他のデバイスからピア発見資源上で伝達される信号を受信するのを監視する。このようにして、ＷＴ  Ａ７０２は、ＩＤ３に関連づけられた資源を同時に使っている可能性がある他のデバイスからの干渉を測定し、特徴づけることができる。たとえば、ＷＴ  Ａ７０２は、ピア発見ＩＤ３エアリンク資源８５２の８つのＯＦＤＭトーンシンボルのうち７つを使って、そのピア発見信号ＰＤA８２５を送信し、ＷＴ  Ａ７０２は、その送信機ＮＵＬＬに関連づけられたセットのＯＦＤＭトーンシンボルである、ピア発見ＩＤ３エアリンク資源８５２の８番目のＯＦＤＭトーンシンボル上で受信して、別のデバイスからのピア発見信号部分、たとえば部分信号ＰＤI８４０、および／または意図的な干渉信号を検出する。
【００４８】
いくつかの実施形態では、意図的な干渉信号は、たとえば、第３のデバイスによって、ＷＴ  Ａ７０２に、ＩＤ３に関連づけられた資源を空き状態にする（vacate）意図をもって送信される場合がある。この意図的な干渉信号は、妨害信号と呼ばれ得る。妨害信号は、同じ資源上で送信中であるとともに相互の間に低品質チャネルを有する２つのデバイスが、偶然にも両方の送信デバイスにとって良好なチャネル条件をもつ第３のノードに対して、容認できないほどの干渉を同時送信が引き起こしていることに気づいていない隠れノード状況（hidden node situation）において有用である。
【００４９】
ＷＴ  Ａ７０２は、現在保持している識別子以外の識別子に関連づけられた資源に対応する受信電力レベル情報も測定する。ＷＴ  Ａ７０２は、各識別子に関連づけられた総受取り電力レベル情報と、可能な場合は、判定された最強受信信号電力レベル情報とを判定する。ＷＴ  Ａ７０２は、判定された受取り電力レベル情報に基づいて、識別子および関連資源を順序づける。
【００５０】
ＷＴ  Ａ７０２は、１つまたは複数の資源に関連づけられた判定電力レベル情報に応じて切換え閾値を判定する。いくつかの実施形態では、ＷＴ  Ａ７０２は、使っていない識別子に関連づけられた１つまたは複数の資源に関連づけられた判定電力レベル情報と、ＷＴ  Ａ自体が現在保持している識別子に関連づけられた判定干渉情報との関数として、切換え閾値を判定する。ＷＴ  Ａ７０２は、ＩＤ３に関連づけられた資源から、別のＩＤに関連づけられた資源に切り換えるかどうかを、ピア発見ＩＤ３資源８５２上でのその送信ヌル中に受信された受信信号と、判定された切換え閾値とに基づいて決定する。この例では、この時点で、ＷＴ  Ａ７０２は、ＩＤ３から切り換えないと決定するので、ＷＴ  Ａ７０２は、そのピア発見信号を、ＩＤ３に関連づけられたピア発見資源上でブロードキャストし続けることになる。
【００５１】
図９において、ＷＴ  Ｉ７１８は、その位置を、破線矢印９０１で示すように変えており、ＷＴ  Ｋ７２２は、その位置を、破線矢印９０３で示すように変えていることを観察することができる。ワイヤレス端末（ＷＴ  Ａ７０２、ＷＴ  Ｂ７０４、ＷＴ  Ｃ７０６、ＷＴ  Ｄ７０８、ＷＴ  Ｅ７１０、ＷＴ  Ｆ７１２、ＷＴ  Ｇ７１４、ＷＴ  Ｈ７１６、ＷＴ  Ｉ７１８、ＷＴ  Ｊ７２０、ＷＴ  Ｋ７２２、ＷＴ  Ｌ７２４）は、それぞれ、エアリンク資源（ピア発見ＩＤ３資源９５２、ピア発見ＩＤ１資源９４８、ピア発見ＩＤ４資源９５４、ピア発見ＩＤ２資源９５０、ピア発見ＩＤ５資源９５６、ピア発見ＩＤ６資源９５８、ピア発見ＩＤ７資源９６０、ピア発見ＩＤ９資源９６４、ピア発見ＩＤ３資源９５２、ピア発見ＩＤ１資源９４８、ピア発見ＩＤ８資源９６２、ピア発見ＩＤ５資源９５６）を使って、ピア発見信号（ＰＤA信号９２５、ＰＤB信号９２６、ＰＤC信号９２８、ＰＤD信号９３０、ＰＤE信号９３２、ＰＤF信号９３４、ＰＤG信号９３６、ＰＤH信号９３８、ＰＤI信号９４０、ＰＤJ信号９４２、ＰＤK信号９４４、ＰＤL信号９４６）を送信する。
【００５２】
ＷＴ  Ａ７０２は、送信中でないときは、図８を参照して記載したのと同様にして監視を行う。ＷＴ  Ａ７０２は、受信電力レベル情報と干渉情報とを判定し、新たな切換え閾値を算出し、新しい識別子に切り換えるかどうかに関して別の決定を行う。この例では、この時点で、ＷＴ  Ａ７０２は、ＩＤ３から切り換えないと決定するので、ＷＴ  Ａ７０２は、そのピア発見信号を、ＩＤ３に関連づけられたピア発見資源上でブロードキャストし続けることになる。
【００５３】
図１０において、ＷＴ  Ｉ７１８は、その位置を、破線矢印１００１で示すように再度変えており、ＷＴ  Ｋ７２２は、その位置を、破線矢印１００３で示すように再度変えていることを観察することができる。ワイヤレス端末（ＷＴ  Ａ７０２、ＷＴ  Ｂ７０４、ＷＴ  Ｃ７０６、ＷＴ  Ｄ７０８、ＷＴ  Ｅ７１０、ＷＴ  Ｆ７１２、ＷＴ  Ｇ７１４、ＷＴ  Ｈ７１６、ＷＴ  Ｉ７１８、ＷＴ  Ｊ７２０、ＷＴ  Ｋ７２２、ＷＴ  Ｌ７２４）は、それぞれ、エアリンク資源（ピア発見ＩＤ３資源１０５２、ピア発見ＩＤ１資源１０４８、ピア発見ＩＤ４資源１０５４、ピア発見ＩＤ２資源１０５０、ピア発見ＩＤ５資源１０５６、ピア発見ＩＤ６資源１０５８、ピア発見ＩＤ７資源１０６０、ピア発見ＩＤ９資源１０６４、ピア発見ＩＤ３資源１０５２、ピア発見ＩＤ１資源１０４８、ピア発見ＩＤ８資源１０６２、ピア発見ＩＤ５資源１０５６）を使って、ピア発見信号（ＰＤA信号１０２５、ＰＤB信号１０２６、ＰＤC信号１０２８、ＰＤD信号１０３０、ＰＤE信号１０３２、ＰＤF信号１０３４、ＰＤG信号１０３６、ＰＤH信号１０３８、ＰＤI信号１０４０、ＰＤJ信号１０４２、ＰＤK信号１０４４、ＰＤL信号１０４６）を送信する。
【００５４】
ＷＴ  Ａ７０２は、送信中でないときは、図８を参照して記載したのと同様にして監視を行う。ＷＴ  Ａ７０２は、受信電力レベル情報と干渉情報とを判定し、新たな切換え閾値を算出し、新しい識別子に切り換えるかどうかに関して別の決定を行う。この例では、この時点で、ＷＴ  Ａ７０２は、ＩＤ３から新しい識別子に切り換えると決定する。ＷＴ  Ａ７０２は、判定された受信電力レベル情報に基づいて、ＩＤ８を選択する。この時点で、ピア発見ＩＤ８資源１０６２上で伝達される、ＷＴ  Ｋ７２２からの受信ピア発見信号は、最も低い総受取り電力レベルおよび最も低い最強信号受信電力レベルに対応する。ＷＴ  Ａ７０２は、ＩＤ３に関連づけられたピア発見資源の使用から、ＩＤ８に関連づけられたピア発見資源に変更することを伝達するための資源変更信号を生成する。
【００５５】
いくつかの実施形態では、ＷＴ  Ａ７０２は、閾値基準を下回る判定受信電力レベル情報に対応する代替物セットの中から選択を行い、たとえば、ランダムに選択を行う。したがって、このような実施形態では、ＷＴ  Ａ７０２は、最も低い受信電力レベルに対応するＩＤを必ずしも選択しなくてよい。
【００５６】
図１１は、ＩＤ３に関連づけられた通信資源の使用から、ＩＤ８に関連づけられた通信資源への変更を示す資源変更信号１１２５を、ＷＴ  Ａ７０２がピア発見ＩＤ３エアリンク資源１１５２上でブロードキャストすることを示す。これは、新しい識別子ＩＤ８に関連づけられた資源に切り換える前の、ＩＤ３に関連づけられた資源上での、ＷＴ  Ａ７０２による最後の送信である。ワイヤレス端末（ＷＴ  Ｂ７０４、ＷＴ  Ｃ７０６、ＷＴ  Ｄ７０８、ＷＴ  Ｅ７１０、ＷＴ  Ｆ７１２、ＷＴ  Ｇ７１４、ＷＴ  Ｈ７１６、ＷＴ  Ｉ７１８、ＷＴ  Ｊ７２０、ＷＴ  Ｋ７２２、ＷＴ  Ｌ７２４）は、それぞれ、エアリンク資源（ピア発見ＩＤ１資源１１４８、ピア発見ＩＤ４資源１１５４、ピア発見ＩＤ２資源１１５０、ピア発見ＩＤ５資源１１５６、ピア発見ＩＤ６資源１１５８、ピア発見ＩＤ７資源１１６０、ピア発見ＩＤ９資源１１６４、ピア発見ＩＤ３資源１１５２、ピア発見ＩＤ１資源１１４８、ピア発見ＩＤ８資源１１６２、ピア発見ＩＤ５資源１１５６）を使って、ピア発見信号（ＰＤB信号１１２６、ＰＤC信号１１２８、ＰＤD信号１１３０、ＰＤE信号１１３２、ＰＤF信号１１３４、ＰＤG信号１１３６、ＰＤH信号１１３８、ＰＤI信号１１４０、ＰＤJ信号１１４２、ＰＤK信号１１４４、ＰＤL信号１１４６）を送信する。
【００５７】
図１２は、ＩＤ３に関連づけられた通信資源の使用から、ＩＤ８に関連づけられた通信資源への変更を示す資源変更信号１２２５を、ＷＴ  Ａ７０２がピア発見ＩＤ８エアリンク資源１２６２上でブロードキャストすることを示す。これは、新しい識別子ＩＤ８に関連づけられた資源に切り換えてから、ＩＤ８に関連づけられた資源上での、ＷＴ  Ａ７０２による最初の送信である。ワイヤレス端末（ＷＴ  Ｂ７０４、ＷＴ  Ｃ７０６、ＷＴ  Ｄ７０８、ＷＴ  Ｅ７１０、ＷＴ  Ｆ７１２、ＷＴ  Ｇ７１４、ＷＴ  Ｈ７１６、ＷＴ  Ｉ７１８、ＷＴ  Ｊ７２０、ＷＴ  Ｋ７２２、ＷＴ  Ｌ７２４）は、それぞれ、エアリンク資源（ピア発見ＩＤ１資源１２４８、ピア発見ＩＤ４資源１２５４、ピア発見ＩＤ２資源１２５０、ピア発見ＩＤ５資源１２５６、ピア発見ＩＤ６資源１２５８、ピア発見ＩＤ７資源１２６０、ピア発見ＩＤ９資源１２６４、ピア発見ＩＤ３資源１２５２、ピア発見ＩＤ１資源１２４８、ピア発見ＩＤ８資源１２６２、ピア発見ＩＤ５資源１２５６）を使って、ピア発見信号（ＰＤB信号１２２６、ＰＤC信号１２２８、ＰＤD信号１２３０、ＰＤE信号１２３２、ＰＤF信号１２３４、ＰＤG信号１２３６、ＰＤH信号１２３８、ＰＤI信号１２４０、ＰＤJ信号１２４２、ＰＤK信号１２４４、ＰＤL信号１２４６）を送信する。
【００５８】
図１３は、ＷＴ  Ａ７０２がその後、ピア発見信号ＰＤA１３２５をピア発見ＩＤ８エアリンク資源１３６２上でブロードキャストすることを示す。ワイヤレス端末（ＷＴ  Ａ７０２、ＷＴ  Ｂ７０４、ＷＴ  Ｃ７０６、ＷＴ  Ｄ７０８、ＷＴ  Ｅ７１０、ＷＴ  Ｆ７１２、ＷＴ  Ｇ７１４、ＷＴ  Ｈ７１６、ＷＴ  Ｉ７１８、ＷＴ  Ｊ７２０、ＷＴ  Ｋ７２２、ＷＴ  Ｌ７２４）は、それぞれ、エアリンク資源（ピア発見ＩＤ８資源１３６２、ピア発見ＩＤ１資源１３４８、ピア発見ＩＤ４資源１３５４、ピア発見ＩＤ２資源１３５０、ピア発見ＩＤ５資源１３５６、ピア発見ＩＤ６資源１３５８、ピア発見ＩＤ７資源１３６０、ピア発見ＩＤ９資源１３６４、ピア発見ＩＤ３資源１３５２、ピア発見ＩＤ１資源１３４８、ピア発見ＩＤ８資源１３６２、ピア発見ＩＤ５資源１３５６）を使って、ピア発見信号（ＰＤA１３２５、ＰＤB信号１３２６、ＰＤC信号１３２８、ＰＤD信号１３３０、ＰＤE信号１３３２、ＰＤF信号１３３４、ＰＤG信号１３３６、ＰＤH信号１３３８、ＰＤI信号１３４０、ＰＤJ信号１３４２、ＰＤK信号１３４４、ＰＤL信号１３４６）を送信する。
【００５９】
図１４は、２つのデバイスから同じピア発見資源上で送信される例示的なピア発見信号を示す図面１４００である。例示的なピア発見資源は、ピア発見ＩＤ３資源１４０１である。図面１４５１は、ピア発見ＩＤ３資源１４０１が、８つのＯＦＤＭトーンシンボル（１４０２、１４０４、１４０６、１４０８、１４１０、１４１２、１４１４、１４１６）を含み、デバイスＩ７１８からのピア発見信号を搬送中であることを示す。デバイスＩ７１８は、ピア発見ＩＤ３資源１４０１を使って、ピア発見信号を送信中である。デバイスＩ７１８から送信されるピア発見信号は、それぞれ、トーンシンボル（１４０２、１４０４、１４０６、１４０８、１４１０、１４１２、１４１４、１４１６）上に変調シンボル（ＳPDI0１４５２、ＳPDI1＝ヌル１４５４、ＳPDI2１４５６、ＳPDI3１４５８、ＳPDI4１４６０、ＳPDI5１４６２、ＳPDI6１４６４、ＳPDI7１４６６）を含む。図面１４７１は、８つのＯＦＤＭトーンシンボル（１４０２、１４０４、１４０６、１４０８、１４１０、１４１２、１４１４、１４１６）を含むピア発見ＩＤ３資源１４０１が、デバイスＡ７０２からのピア発見信号も搬送中であることを示す。デバイスＡ７０２は、ピア発見ＩＤ３資源１４０１を使ってピア発見信号を送信中である。デバイスＡ７０２から送信されるピア発見信号は、それぞれ、トーンシンボル（１４０２、１４０４、１４０６、１４０８、１４１０、１４１２、１４１４、１４１６）上に変調シンボル（ＳPDA0１４７２、ＳPDA1１４７４、ＳPDA2１４７６、ＳPDA3１４７８、ＳPDA4１４８０、ＳPDA5＝ＮＵＬＬ１４８２、ＳPDA6１４８４、ＳPDA7１４８６）を含む。
【００６０】
いくつかの実施形態の特徴によると、送信されるピア発見信号は、ピア発見資源１４０１の少なくとも１つのＯＦＤＭトーンシンボル上に、意図的なＮＵＬＬを含む。いくつかの実施形態では、送信デバイスの場合、どの資源にＮＵＬＬを置くかに関する決定は、擬似ランダム選択実装に基づく。したがって、共有ピア発見資源１４０１を使用中である２つのデバイスが、資源の異なるＯＦＤＭトーンシンボルにＮＵＬＬを置いている可能性がある。
【００６１】
デバイスＩ７１８に関しては、その意図的なＮＵＬＬ、たとえば、ＯＦＤＭトーンシンボル１４０４の時間の間に、デバイスＩ７１８は、他のデバイスから送信される信号、たとえば、他のピア発見信号および意図的な干渉信号を受信し監視することができる。デバイスＡ７０２に関しては、その意図的なＮＵＬＬ、たとえば、ＯＦＤＭトーンシンボル１４１２の時間の間に、デバイスＡ７０２は、他のデバイスから送信される信号、たとえば、他のピア発見信号および意図的な干渉信号を受信し監視することができる。
【００６２】
ピア発見ＩＤ３資源１４０１は、たとえば、図８のピア発見ＩＤ３資源８５２であり、信号部分（１４５２、１４５４、１４５６、１４５８、１４６０、１４６２、１４６４、１４６６）の合成によって表されるピア発見信号は、たとえば、図８のピア発見ＰＤI８４０信号であり、信号部分（１４７２、１４７４、１４７６、１４７８、１４８０、１４８２、１４８４、１４８６）の合成によって表されるピア発見信号は、たとえば、図８のピア発見ＰＤA８２５信号である。あるいは、ピア発見ＩＤ３資源１４０１は、たとえば、図９のピア発見ＩＤ３資源９５２であり、信号部分（１４５２、１４５４、１４５６、１４５８、１４６０、１４６２、１４６４、１４６６）の合成によって表されるピア発見信号は、たとえば、図９おピア発見ＰＤI９４０信号であり、信号部分（１４７２、１４７４、１４７６、１４７８、１４８０、１４８２、１４８４、１４８６）の合成によって表されるピア発見信号は、たとえば、図９のピア発見ＰＤA９２５信号である。あるいは、ピア発見ＩＤ３資源１４０１は、たとえば、図１０のピア発見ＩＤ３資源１０５２であり、信号部分（１４５２、１４５４、１４５６、１４５８、１４６０、１４６２、１４６４、１４６６）の合成によって表されるピア発見信号は、たとえば、図１０のピア発見ＰＤI１０４０信号であり、信号部分（１４７２、１４７４、１４７６、１４７８、１４８０、１４８２、１４８４、１４８６）の合成によって表されるピア発見信号は、たとえば、図１０のピア発見ＰＤA１０２５信号である。
【００６３】
図１５は、２つのデバイスから同じピア発見資源上で送信される例示的なピア発見信号を示す図面１５００である。例示的なピア発見資源は、ピア発見ＩＤ５資源１５０１である。図面１５５１は、ピア発見ＩＤ５資源１５０１が８つのＯＦＤＭトーンシンボル（１５０２、１５０４、１５０６、１５０８、１５１０、１５１２、１５１４、１５１６）を含み、デバイスＥ７１０からのピア発見信号を搬送中であることを示す。デバイスＥ７１０は、ピア発見ＩＤ５資源１５０１を使ってピア発見信号を送信中である。デバイスＥ７１０から送信されるピア発見信号は、それぞれ、トーンシンボル（１５０２、１５０４、１５０６、１５０８、１５１０、１５１２、１５１４、１５１６）上に変調シンボル（ＳPDE0１５５２、ＳPDE1１５５４、ＳPDE2＝ヌル１５５６、ＳPDE3１５５８、ＳPDE4１５６０、ＳPDE5１５６２、ＳPDE6１５６４、ＳPDE7１５６６）を含む。図面１５７１は、８つのＯＦＤＭトーンシンボル（１５０２、１５０４、１５０６、１５０８、１５１０、１５１２、１５１４、１５１６）を含むピア発見ＩＤ５資源１５０１が、デバイスＬ７２４からのピア発見信号も搬送中であることを示す。デバイスＬ７２４は、ピア発見ＩＤ５資源１５０１を使ってピア発見信号を送信中である。デバイスＬ７２４から送信されるピア発見信号は、それぞれ、トーンシンボル（１５０２、１５０４、１５０６、１５０８、１５１０、１５１２、１５１４、１５１６）上に変調シンボル（ＳPDL0１５７２、ＳPDL1１５７４、ＳPDL2１５７６、ＳPDL3１５７８、ＳPDL4１５８０、ＳPDL5１５８２、ＳPDL6＝ＮＵＬＬ１５８４、ＳPDL7１５８６）を含む。
【００６４】
いくつかの実施形態の特徴によると、送信されるピア発見信号は、ピア発見資源１５０１の少なくとも１つのＯＦＤＭトーンシンボル上に意図的なＮＵＬＬを含む。いくつかの実施形態では、送信デバイスの場合、どの資源にＮＵＬＬを配置するかに関する決定は、擬似ランダム選択実装に基づく。したがって、共有ピア発見資源１５０１を使っている２つのデバイスが、資源の異なるＯＦＤＭトーンシンボル上にＮＵＬＬを配置することになる可能性がある。
【００６５】
ピア発見ＩＤ資源５  １５０１を監視中であるワイヤレス端末Ａ７０２に関しては、異なる２つの送信信号に対する異なるＯＦＤＭトーンシンボル上への意図的なヌルの配置により、ＷＴ  Ａ７０２は、受信信号を分離し、より強い受信信号に対応する受信信号電力レベルを判定することができる。ピア発見ＩＤ５資源１５０１は、たとえば、図７のピア発見ＩＤ５資源７５６であり、信号部分（１５５２、１５５４、１５５６、１５５８、１５６０、１５６２、１５６４、１５６６）の合成によって表されるピア発見信号は、たとえば、図７のピア発見ＰＤE７３２信号であり、信号部分（１５７２、１５７４、１５７６、１５７８、１５８０、１５８２、１５８４、１５８６）の合成によって表されるピア発見信号は、たとえば、図７のピア発見ＰＤL７４６信号である。いくつかの実施形態では、ヌル化は、セグメントレベルではなく資源ブロックレベルで行うことができる。たとえば、ピア発見シンボルが、発見資源ブロック中で時折ランダムにヌルアウトされる（送信されない）。いくつかの実施形態では、ヌル化は、シンボルレベルではなく資源ＩＤブロックレベルで行うことができる。たとえば、シンボルセットを備えるピア発見信号が、発見資源ブロック中で時折ランダムにヌルアウトされる（送信されない）。
【００６６】
図１６は、いくつかの実施形態による、受信電力測定値に基づいて判定され、格納され、資源選択および／または資源切換え判定に使われる例示的な資源情報を示す図面である。テーブル１６００は、追跡されている最中の様々なピア発見ＩＤ資源に対応する電力情報のテーブルである。行１６２０は、様々なピア発見識別子（ＩＤ１、ＩＤ２、．．．、ＩＤ９）を列挙する。各列（１６０２、１６０４、１６０６、１６０８、１６１０、１６１２、１６１４、１６１６、１６１８）は、それぞれ、異なるピア発見識別子（ＩＤ１、ＩＤ２、ＩＤ３、ＩＤ４、ＩＤ５、ＩＤ６、ＩＤ７、ＩＤ８、ＩＤ９）に対応する。行１６２２は、各識別子（ＰT ID1、ＰT ID2、．．．、ＰT ID9）に対応する総受信電力レベル情報を列挙する。行１６２４は、各識別子（ＰS 1DI、ＰS ID2、．．．、ＰT ID9）に対応する最強受信信号電力レベル情報を列挙する。テーブル中の電力レベル情報は、図７の状況でのＷＴ  Ａの監視に対応することを考慮されたい。このような状況において、ＰSID1は、信号ＰＤB７２６の、ＷＴ  Ａ７０２での受信電力レベルに対応し、ＰSID5は、信号ＰＤE７３２の、ＷＴ  Ａ７０２での受信電力レベルに対応する。
【００６７】
テーブル１６５０は、受信電力情報に基づいて、判定された資源順序づけ情報を識別する。テーブル１６５０は、受信された総電力レベル情報、最強受信信号電力情報、または両方の入力の何らかの関数に基づき得る。いくつかの実施形態では、ワイヤレス端末は、総受信電力情報に基づく第１の順序づけと、最強受信信号電力情報に基づく第２の順序づけとを実施する。行１６５２は、左に最大電力レベルを、右に最小電力レベルを提示する。行１６５４は、ピア発見資源に関連づけられた各識別子が、テーブル１６００からの測定値情報に基づく順序づけにどこで適合するかを識別する。行１６５４の例示的な順序づけは、図７のＷＴ  Ａによる監視に対応するＷＴ  Ａ７０２によって観察される条件を表し得る。
【００６８】
ピア発見送信機シグナリングに使われるべき資源の選択、たとえば、ＩＤ３に対応する資源の選択に続いて、ＷＴ  Ａ７０２は、受信電力レベル測定値に基づいて、資源を監視し、追跡し、順序づけ続ける。さらに、ＷＴ  Ａ７０２は、ＷＴ  Ａが選択した資源の観察される干渉レベル、たとえば、ＩＤ３ピア発見資源における干渉レベルを、そのピア発見信号の意図的な送信機ヌル中に取得された電力測定値に基づいて追跡する。現在保持している識別子から新しい識別子に切り換えるかどうか決定する際に使われる切換え閾値は、いくつかの実施形態では、判定された電力情報に応じて、たとえば、電力測定値に基づく順序づけ情報に応じて変動する。順序づけの１つの目的は、送信用に、どのピア発見資源が受諾可能なものであるか判定することである。いくつかの実施形態では、資源の順序づけは、概算でよい。資源の概算順序づけにより、計算が軽減され得る。いくつかの実施形態では、資源の順序づけは、観察された電力の分類の形でほぼ達成される。
【００６９】
様々な実施形態の技法は、ソフトウェア、ハードウェアおよび／またはソフトウェアとハードウェアの組合せを使って実装してよい。いくつかの実施形態では、モジュールは、物理モジュールとして実装される。このようないくつかの実施形態では、個々の物理モジュールは、ハードウェアで、たとえば回路として実装され、またはハードウェア、たとえば回路を、何らかソフトウェアとともに含む。他の実施形態では、モジュールは、メモリに格納されるとともにプロセッサ、たとえば汎用コンピュータによって実行されるソフトウェアモジュールとして実装される。様々な実施形態が、装置、たとえば、静止ワイヤレスノード、セル電話が一例に過ぎないモバイルアクセス端末などのモバイルノード、１つもしくは複数の接続ポイントを含む基地局などのアクセスポイント、サーバ、および／または通信システムを対象とする。様々な実施形態は、方法、たとえば、モバイルおよび／もしくは静止ノード、基地局などのアクセスポイント、サーバノードならびに／または通信システム、たとえばホストを含むワイヤレス通信デバイスを制御し、かつ／または操作する方法も対象とする。様々な実施形態は、方法の１つまたは複数のステップを実装するようにマシンを制御するマシン可読命令を含むマシン、たとえばコンピュータが可読な媒体、たとえば、ＲＯＭ、ＲＡＭ、ＣＤ、ハードディスクなども対象とする。
【００７０】
開示したプロセスにおけるステップの具体的な順序または階層は、例示的な手法の例であることが理解されよう。設計上の選好に基づいて、プロセスにおけるステップの具体的な順序または階層は、並べ替えてよく、本開示の範囲内のままであることが理解されよう。添付の方法クレームは、様々なステップの要素を代表的順序で提示しており、提示する具体的な順序または階層に限定されることは意図していない。
【００７１】
様々な実施形態において、本明細書に記載したノードは、１つまたは複数の方法に対応するステップ、たとえば、第１の識別子に対応する第１の通信資源から、第２の識別子に対応する第２の通信資源に切り換えると決定すること、および第１の通信資源から第２の通信資源への使用の変更を示す資源変更信号をブロードキャストすることを実施するための１つまたは複数のモジュールを使って実装される。
【００７２】
したがって、いくつかの実施形態では、様々な特徴は、モジュールを使って実装される。このようなモジュールは、ソフトウェア、ハードウェアまたはソフトウェアとハードウェアの組合せを使って実装してよい。上述した方法または方法ステップの多くは、上述した方法の全部または部分を、たとえば、１つまたは複数のノードで実装するための追加ハードウェアありまたはなしで、マシン、たとえば汎用コンピュータを制御するための、たとえば、ＲＡＭ、フロッピー（登録商標）ディスクなど、メモリデバイスなどのマシン可読媒体に含まれる、ソフトウェアなどのマシン実行可能命令を使って実装してよい。したがって、とりわけ、様々な実施形態は、マシン、たとえばプロセッサおよび関連ハードウェアに、上で記載した方法（複数可）のステップの１つまたは複数を実施させるマシン実行可能命令を含むマシン可読媒体を対象とする。いくつかの実施形態は、本発明の１つまたは複数の方法のステップの１つ、複数またはすべてを実装するように構成されたプロセッサを含むデバイス、たとえば通信デバイスを対象とする。
【００７３】
いくつかの実施形態は、１つのコンピュータ、または複数のコンピュータに、様々な機能、ステップ、作用および／または操作、たとえば上述した１つまたは複数のステップを実装させるコードを備えるコンピュータ可読媒体を備えるコンピュータプログラム製品を対象とする。実施形態に依存して、コンピュータプログラム製品は、各ステップが実施されるための異なるコードを含んでよく、ときには実際に含む。したがって、コンピュータプログラム製品は、方法、たとえば、通信デバイスまたはノードを制御する方法の個々の各ステップのためのコードを含んでよく、ときには実際に含む。コードは、ＲＡＭ（ランダムアクセスメモリ）、ＲＯＭ（読出し専用メモリ）や他のタイプの記憶デバイスなどのコンピュータ可読媒体に格納された、マシン、たとえばコンピュータが実行可能な命令の形でよい。コンピュータプログラム製品を対象とするのに加え、いくつかの実施形態は、上述した１つまたは複数の方法の様々な機能、ステップ、作用および／または操作の１つまたは複数を実装するように構成されたプロセッサを対象とする。したがって、いくつかの実施形態は、本明細書に記載した方法のステップの一部または全部を実装するように構成されたプロセッサ、たとえばＣＰＵを対象とする。プロセッサは、たとえば、本出願において記載した通信デバイスまたは他のデバイスで使用するためのものでよい。
【００７４】
いくつかの実施形態では、ワイヤレス端末など、１つまたは複数のデバイス、たとえば通信デバイスの、１つのプロセッサまたは複数のプロセッサ、たとえばＣＰＵは、通信デバイスによって実施されるものとして記載した方法のステップを実施するように構成される。したがって、一部だがすべてではない実施形態は、プロセッサが含まれるデバイスによって実施される、記載した様々な方法のステップそれぞれに対応するモジュールを含むプロセッサを有するデバイス、たとえば通信デバイスを対象とする。一部だがすべてではない実施形態において、デバイス、たとえば通信デバイスは、プロセッサが含まれるデバイスによって実施される、記載した様々な方法のステップそれぞれに対応するモジュールを含む。モジュールは、ソフトウェアおよび／またはハードウェアを使って実装してよい。
【００７５】
様々な特徴を、ＯＦＤＭシステムというコンテキストで記載したが、様々な実施形態の方法および装置の少なくともいくつかは、多くの非ＯＦＤＭおよび／または非セルラーシステムを含む広範な通信システムに適用可能である。
【００７６】
上記記述を鑑み、上述した様々な実施形態の方法および装置に対する多数の追加変形が、当業者には明らかであろう。このような変形形態は、本範囲内であると見なされるべきである。方法および装置は、ＣＤＭＡ、直交周波数分割多重（ＯＦＤＭ）、ＧＳＭ（登録商標）および／またはモバイルノードとワイヤレス通信など、アクセスポイントとワイヤレス通信デバイスとの間でワイヤレス通信リンク、たとえば、ＷＡＮワイヤレス通信リンクを提供するのに用いられ得る他の様々なタイプの通信技法とともに使われてよく、様々な実施形態では実際に使われる。方法および装置は、ＣＤＭＡ、直交周波数分割多重（ＯＦＤＭ）、ＧＳＭおよび／またはピアツーピアインターフェースを含む、ワイヤレス通信デバイスの間でワイヤレス通信リンク、たとえば、ダイレクトピアツーピアワイヤレス通信リンクを提供するのに用いられ得る他の様々なタイプの通信技法とともに使われてよく、様々な実施形態では実際に使われる。いくつかの実施形態では、ワイドエリアネットワークインターフェースとピアツーピアネットワークインターフェースの両方を含むワイヤレス通信デバイスは、異なるインターフェースには異なる通信技法を、たとえば、ＷＡＮインターフェースにはＣＤＭＡおよびＧＳＭベースの技法の１つを、ピアツーピアインターフェースにはＯＦＤＭベースの技法を用いる。いくつかの実施形態では、アクセスポイントは、ＣＤＭＡ、ＧＳＭおよび／またはＯＦＤＭを使ってモバイルノードとの通信リンクを確立する基地局として実装される。様々な実施形態において、モバイルノードは、ノート型コンピュータ、個人情報端末（ＰＤＡ）、または本方法を実装する受信機／送信機回路ならびに論理および／もしくはルーチンを含む他の可搬型デバイスとして実装される。
【図１】
2013509011.tif 000003
【図２】
2013509011.tif 000004
【図２Ａ】
2013509011.tif 000005
【図２Ｂ】
2013509011.tif 000006
【図３】
2013509011.tif 000007
【図４】
2013509011.tif 000008
【図５】
2013509011.tif 000009
【図６】
2013509011.tif 000010
【図７】
2013509011.tif 000011
【図８】
2013509011.tif 000012
【図９】
2013509011.tif 000013
【図１０】
2013509011.tif 000014
【図１１】
2013509011.tif 000015
【図１２】
2013509011.tif 000016
【図１３】
2013509011.tif 000017
【図１４】
2013509011.tif 000018
【図１５】
2013509011.tif 000019
【図１６】
2013509011.tif 000020
【手続補正書】
【提出日】平成24年4月16日(2012.4.16)
【手続補正１】
【補正対象書類名】特許請求の範囲
【補正対象項目名】全文
【補正方法】変更
【補正の内容】
【特許請求の範囲】
【請求項１】
通信デバイス（３００）を操作する方法であって、
第１の識別子に対応する第１の通信資源から、第２の識別子に対応する第２の通信資源に切り換えると決定することと、
前記第１の通信資源から前記第２の通信資源への使用の変更を示す資源変更信号をブロードキャストすることであって、前記資源変更信号を前記ブロードキャストすることが、前記ブロードキャストされる資源変更信号を前記第２の通信資源上で送信することを含むこととを備える方法。
【請求項２】
前記資源変更信号をブロードキャストすることが、前記ブロードキャストされる資源変更信号を前記第１の通信資源上で送信することを含む、請求項１に記載の方法。
【請求項３】
前記資源変更信号が、前記通信デバイス（３００）によって前記第１の通信資源上で送信される最後の信号である、請求項２に記載の方法。
【請求項４】
前記資源変更信号が、前記通信デバイス（３００）によって前記第２の通信資源上で送信される最初の信号である、請求項１に記載の方法。
【請求項５】
前記資源変更信号をブロードキャストすることが、前記ブロードキャストされる資源変更信号が前記第１および第２の通信資源の両方の上で送信されるように、前記ブロードキャストされる資源変更信号を前記第１の通信資源上で送信することをさらに含む、請求項４に記載の方法。
【請求項６】
第１の識別子に対応する第１の通信資源から、第２の識別子に対応する第２の通信資源に切り換えると決定するための手段（４２８）と、
前記第１の通信資源から前記第２の通信資源への使用の変更を示す資源変更信号をブロードキャストするための手段（４３８）であって、前記資源変更信号をブロードキャストするための前記手段（４３８）が、前記ブロードキャストされる資源変更信号を前記第２の通信資源上で送信するための手段（４４２）を含む手段とを備える通信デバイス（３００）。
【請求項７】
前記資源変更信号をブロードキャストするための前記手段（４３８）が、前記ブロードキャストされる資源変更信号を、前記第１の通信資源上で送信するための手段（４４０）を含む、請求項６に記載の通信デバイス（３００）。
【請求項８】
前記資源変更信号が、前記通信デバイス（３００）によって前記第１の通信資源上で送信される最後の信号である、請求項７に記載の通信デバイス（３００）。
【請求項９】
前記資源変更信号が、前記通信デバイス（３００）によって前記第２の通信資源上で送信される最初の信号である、請求項６に記載の通信デバイス（３００）。
【請求項１０】
前記資源変更信号をブロードキャストするための前記手段（４３８）が、前記ブロードキャストされる資源変更信号が前記第１の通信資源と前記第２の通信資源の両方の上で送信されるように、前記ブロードキャストされる資源変更信号を前記第１の通信資源上で送信するための手段（４４０）をさらに含む、請求項９に記載の通信デバイス（３００）。
【請求項１１】
通信デバイス（３００）において使用するためのコンピュータプログラム製品であって、
少なくとも１つのコンピュータ（３０２）に、第１の識別子に対応する第１の通信資源から、第２の識別子に対応する第２の通信資源に切り換えると決定させるコードと、
前記少なくとも１つのコンピュータ（３０２）に、前記第１の通信資源から前記第２の通信資源への使用の変更を示す資源変更信号をブロードキャストさせるコードであって、前記少なくとも１つのコンピュータ（３０２）に、前記資源変更信号をブロードキャストさせる前記コードが、前記少なくとも１つのコンピュータ（３０２）に、前記ブロードキャストされる資源変更信号を前記第２の通信資源上で送信させるコードを含むコードとを備えるコンピュータ可読媒体（３０４）を備えるコンピュータプログラム製品。
【請求項１２】
前記少なくとも１つのコンピュータ（３０２）に、前記資源変更信号をブロードキャストさせる前記コードが、前記少なくとも１つのコンピュータ（３０２）に、前記ブロードキャストされる資源変更信号を前記第１の通信資源上で送信させるコードを含む、請求項１１に記載のコンピュータプログラム製品。
【請求項１３】
第１の識別子に対応する第１の通信資源から、第２の識別子に対応する第２の通信資源に切り換えると決定し、
前記第１の通信資源から前記第２の通信資源への使用の変更を示す資源変更信号をブロードキャストするように構成された少なくとも１つのプロセッサ（３０２）であって、前記資源変更信号をブロードキャストするように構成されることの一部として、前記ブロードキャストされる資源変更信号を前記第２の通信資源上で送信するように構成されるプロセッサ（３０２）と、
前記少なくとも１つのプロセッサ（３０２）に結合されたメモリ（３０４）とを備える通信デバイス（３００）。
【請求項１４】
前記少なくとも１つのプロセッサ（３０２）が、前記資源変更信号をブロードキャストするように構成されることの一部として、前記ブロードキャストされる資源変更信号を、前記第１の通信資源上で送信するように構成される、請求項１３に記載の通信デバイス（３００）。
【請求項１５】
前記資源変更信号が、前記通信デバイス（３００）によって前記第１の通信資源上で送信される最後の信号である、請求項１４に記載の通信デバイス（３００）。
【請求項１６】
前記資源変更信号が、前記通信デバイス（３００）によって前記第２の通信資源上で送信される最初の信号である、請求項１３に記載の通信デバイス（３００）。
【請求項１７】
前記少なくとも１つのプロセッサ（３０２）が、前記資源変更信号をブロードキャストするように構成されることの一部として、前記ブロードキャストされる資源変更信号が前記第１の通信資源と前記第２の通信資源の両方の上で送信されるように前記第１の通信資源上で送信するようにさらに構成される、請求項１６に記載の通信デバイス（３００）。
【手続補正２】
【補正対象書類名】明細書
【補正対象項目名】００７６
【補正方法】変更
【補正の内容】
【００７６】
上記記述を鑑み、上述した様々な実施形態の方法および装置に対する多数の追加変形が、当業者には明らかであろう。このような変形形態は、本範囲内であると見なされるべきである。方法および装置は、ＣＤＭＡ、直交周波数分割多重（ＯＦＤＭ）、ＧＳＭ（登録商標）および／またはモバイルノードとワイヤレス通信など、アクセスポイントとワイヤレス通信デバイスとの間でワイヤレス通信リンク、たとえば、ＷＡＮワイヤレス通信リンクを提供するのに用いられ得る他の様々なタイプの通信技法とともに使われてよく、様々な実施形態では実際に使われる。方法および装置は、ＣＤＭＡ、直交周波数分割多重（ＯＦＤＭ）、ＧＳＭおよび／またはピアツーピアインターフェースを含む、ワイヤレス通信デバイスの間でワイヤレス通信リンク、たとえば、ダイレクトピアツーピアワイヤレス通信リンクを提供するのに用いられ得る他の様々なタイプの通信技法とともに使われてよく、様々な実施形態では実際に使われる。いくつかの実施形態では、ワイドエリアネットワークインターフェースとピアツーピアネットワークインターフェースの両方を含むワイヤレス通信デバイスは、異なるインターフェースには異なる通信技法を、たとえば、ＷＡＮインターフェースにはＣＤＭＡおよびＧＳＭベースの技法の１つを、ピアツーピアインターフェースにはＯＦＤＭベースの技法を用いる。いくつかの実施形態では、アクセスポイントは、ＣＤＭＡ、ＧＳＭおよび／またはＯＦＤＭを使ってモバイルノードとの通信リンクを確立する基地局として実装される。様々な実施形態において、モバイルノードは、ノート型コンピュータ、個人情報端末（ＰＤＡ）、または本方法を実装する受信機／送信機回路ならびに論理および／もしくはルーチンを含む他の可搬型デバイスとして実装される。
以下に、本願の出願の当初の特許請求の範囲に記載された発明を付記する。
（１）通信デバイスを操作する方法であって、
第１の識別子に対応する第１の通信資源から、第２の識別子に対応する第２の通信資源に切り換えると決定することと、
前記第１の通信資源から前記第２の通信資源への使用の変更を示す資源変更信号をブロードキャストすることとを備える方法。
（２）前記資源変更信号をブロードキャストすることが、前記ブロードキャストされる資源変更信号を前記第１の通信資源上で送信することを含む、（１）に記載の方法。
（３）前記資源変更信号が、前記通信デバイスによって前記第１の通信資源上で送信される最後の信号である、（２）に記載の方法。
（４）前記資源変更信号をブロードキャストすることが、前記ブロードキャストされる資源変更信号を前記第２の通信資源上で送信することを含む、（１）に記載の方法。
（５）前記資源変更信号が、前記通信デバイスによって前記第２の通信資源上で送信される最初の信号である、（４）に記載の方法。
（６）前記資源変更信号をブロードキャストすることが、前記ブロードキャストされる資源変更信号を、前記第１および第２の通信資源の両方の上で送信することを含む、（１）に記載の方法。
（７）第１の識別子に対応する第１の通信資源から、第２の識別子に対応する第２の通信資源に切り換えると決定するための手段と、
前記第１の通信資源から前記第２の通信資源への使用の変更を示す資源変更信号をブロードキャストするための手段とを備える通信デバイス。
（８）前記資源変更信号をブロードキャストするための前記手段が、前記ブロードキャストされる資源変更信号を、前記第１の通信資源上で送信するための手段を含む、（１）に記載の通信デバイス。
（９）前記資源変更信号が、前記通信デバイスによって前記第１の通信資源上で送信される最後の信号である、（８）に記載の通信デバイス。
（１０）前記資源変更信号をブロードキャストするための前記手段が、前記ブロードキャストされる資源変更信号を、前記第２の通信資源上で送信するための手段を含む、（７）に記載の通信デバイス。
（１１）前記資源変更信号が、前記通信デバイスによって前記第２の通信資源上で送信される最初の信号である、（１０）に記載の通信デバイス。
（１２）前記資源変更信号をブロードキャストするための前記手段が、前記ブロードキャストされる資源変更信号を、前記第１の通信資源上で送信するための手段と、前記ブロードキャストされる変更信号を前記第２の通信資源上で送信するための手段とを含む、（７）に記載の通信デバイス。
（１３）通信デバイスにおいて使用するためのコンピュータプログラム製品であって、
少なくとも１つのコンピュータに、第１の識別子に対応する第１の通信資源から、第２の識別子に対応する第２の通信資源に切り換えると決定させるコードと、
前記少なくとも１つのコンピュータに、前記第１の通信資源から前記第２の通信資源への使用の変更を示す資源変更信号をブロードキャストさせるコードとを備えるコンピュータ可読媒体を備えるコンピュータプログラム製品。
（１４）前記少なくとも１つのコンピュータに、前記資源変更信号をブロードキャストさせる前記コードが、前記少なくとも１つのコンピュータに、前記ブロードキャストされる資源変更信号を前記第１の通信資源上で送信させるコードを含む、（１３）に記載のコンピュータプログラム製品。
（１５）第１の識別子に対応する第１の通信資源から、第２の識別子に対応する第２の通信資源に切り換えると決定し、
前記第１の通信資源から前記第２の通信資源への使用の変更を示す資源変更信号をブロードキャストするように構成された少なくとも１つのプロセッサと、
前記少なくとも１つのプロセッサに結合されたメモリとを備える通信デバイス。
（１６）前記少なくとも１つのプロセッサが、前記資源変更信号をブロードキャストするように構成されることの一部として、前記ブロードキャストされる資源変更信号を、前記第１の通信資源上で送信するように構成される、（１５）に記載の通信デバイス。
（１７）前記資源変更信号が、前記通信デバイスによって前記第１の通信資源上で送信される最後の信号である、請求項１６に記載の通信デバイス。
（１８）前記少なくとも１つのプロセッサが、前記資源変更信号をブロードキャストするように構成されることの一部として、前記ブロードキャストされる資源変更信号を前記第２の通信資源上で送信するように構成される、（１５）に記載の通信デバイス。
（１９）前記資源変更信号が、前記通信デバイスによって前記第２の通信資源上で送信される最初の信号である、（１８）に記載の通信デバイス。
（２０）前記少なくとも１つのプロセッサが、前記資源変更信号をブロードキャストするように構成されることの一部として、前記第１の通信資源上で送信し、前記第２の通信資源上で送信するように構成される、（１５）に記載の通信デバイス。
【国際調査報告】
2013509011.tif 000021
2013509011.tif 000022